(57)【要約】【課題】  再生専用のディスク状記録媒体であっても再生を停止してディスク装置からイジェクトした後に、そのディスク状記録媒体をディスク装置に再ローディングして、再生を停止した位置からディスク状記録媒体に記録された映像音声信号を再生することができるようにする。【解決手段】  ディスク状記録媒体がディスク装置にローディングされたとき、ディスク状記録媒体に貼付された書き換え可能なディスク状小径記録媒体に記録されたディスク状記録媒体の再生停止時の情報データを読み出し、ディスク状記録媒体の再生が指令されたとき、ディスク状小径記録媒体から読み出された再生停止時の情報データに基づいてディスク状記録媒体の再生を停止した位置から映像音声信号を読み出して再生するようにする。【選択図】        図２
2006216129.tif 000002
【特許請求の範囲】
【請求項１】
ディスク状記録媒体に記録された映像音声信号を再生するディスク装置であって、
ディスク状記録媒体に記録された映像音声信号を読み出す第１の読出手段と、ディスク状記録媒体がディスク装置にローディングされたとき、前記ディスク状記録媒体に貼付された書き換え可能なディスク状小径記録媒体に記録された前記ディスク状記録媒体の再生停止時の情報データを読み出す第２の読出手段と、ディスク状記録媒体の再生が指令されたとき、前記第２の読出手段により読み出された再生停止時の情報データに基づいて前記ディスク状記録媒体の再生を停止した位置から前記第１の読出手段により映像音声信号を読み出して再生する再生手段と、ディスク状記録媒体の再生の停止が指令されたとき、前記ディスク状記録媒体の再生を停止して、再生停止時の情報データを前記ディスク状記録媒体に貼付された書き換え可能なディスク状小径記録媒体に上書き記録する記録手段とを備えたことを特徴とするディスク装置。
【請求項２】
ディスク状記録媒体に記録された映像音声信号を再生するディスク装置であって、
ディスク状記録媒体に記録された映像音声信号を読み出す第１の読出手段と、ディスク状記録媒体がディスク装置にローディングされたとき、前記ディスク状記録媒体に貼付された書き換え可能なディスク状小径記録媒体に記録された前記ディスク状記録媒体の再生停止時の情報データを読み出す第２の読出手段と、ディスク状記録媒体の再生が指令されたとき、前記第２の読出手段により読み出された再生停止時の情報データに基づいて前記ディスク状記録媒体の再生を停止した位置から前記第１の読出手段により映像音声信号を読み出して再生する再生手段とを備えたことを特徴とするディスク装置。
【請求項３】
ディスク状記録媒体の再生の停止が指令されたとき、前記ディスク状記録媒体の再生を停止して、再生停止時の情報データを前記ディスク状記録媒体に貼付された書き換え可能なディスク状小径記録媒体に上書き記録する記録手段を更に備えたことを特徴とする請求項２記載のディスク装置。
【請求項４】
映像音声信号が記録されたディスク状記録媒体であって、
映像音声信号が記録されたディスク状記録媒体の再生停止時の情報を上書き記録できる書き換え可能なディスク状小径記録媒体が貼付されていることを特徴とするディスク状記録媒体。
【請求項５】
前記ディスク状小径記録媒体は、前記ディスク状記録媒体の記録面の反対側の面に前記ディスク状記録媒体と同心に貼付されていることを特徴とする請求項４記載のディスク状記録媒体。
【発明の詳細な説明】
【技術分野】
【０００１】
本発明は、ディスク状記録媒体に記録された映像音声信号を再生するディスク装置及びディスク状記録媒体に係り、特にディスク状記録媒体をディスク装置から取り出しても再生を停止した位置から映像音声信号を再生することができるディスク装置及びディスク状記録媒体に関する。
【背景技術】
【０００２】
従来、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）等のディスク状記録媒体を再生するディスク装置は、ディスク装置にローディングされたディスク状記録媒体に記録された映像音声信号の再生を停止しても、リジューム機能により再生を停止した位置からディスク状記録媒体に記録された映像音声信号を再生することができるようになっている。しかし、ディスク状記録媒体をディスク装置からイジェクトすると、ディスク状記録媒体をディスク装置に再ローディングしても、リジューム機能が機能しなくなり、そのディスク状記録媒体の再生を停止した位置から映像音声信号を再生することができないという問題点があった。
背景技術としては、ディスク状記録媒体の再生を停止したとき、ディスク状記録媒体の記録領域の再生停止位置を検出して、再生停止位置を示すリジュームアドレスをディスク状記録媒体のＵＴＯＣ（Ｕｓｅｒ  Ｔａｂｌｅ  ｏｆ  Ｃｏｎｔｅｎｔｓ）領域に記録し、ディスク状記録媒体がディスク装置に再ローディングされて再生が指令されたとき、ディスク状記録媒体のＵＴＯＣ領域を参照して再生停止時の位置から再生を再開するようにしたものがあった（例えば、特許文献１参照）。
【特許文献１】特開平１０−９７７６６号公報
【発明の開示】
【発明が解決しようとする課題】
【０００３】
しかしながら、背景技術で述べたものにおいては、ディスク状記録媒体の再生を停止したとき、ディスク状記録媒体の記録領域の再生停止位置を検出して、再生停止位置を示すリジュームアドレスをディスク状記録媒体のＵＴＯＣ領域に記録し、ディスク状記録媒体がディスク装置に再ローディングされて再生が指令されたとき、ディスク状記録媒体のＵＴＯＣ領域を参照して再生停止時の位置から再生を再開することができたが、ＣＤ−ＲＯＭ（ＣＤ−Ｒｅａｄ−Ｏｎｌｙ  Ｍｅｍｏｒｙ）、ＤＶＤ−ＲＯＭ等の再生専用のディスク状記録媒体の場合、ディスク状記録媒体にリジュームアドレスを記録することができないため、再生専用のディスク状記録媒体をディスク装置からイジェクトした後に、そのディスク状記録媒体をディスク装置に再ローディングしても、再生を停止した位置からディスク状記録媒体を再生することができないという問題点があった。
本発明は、背景技術の有するこのような問題点に鑑みてなされたものであり、その目的とするところは、再生専用のディスク状記録媒体であっても再生を停止してディスク装置からイジェクトした後に、そのディスク状記録媒体をディスク装置に再ローディングして、再生を停止した位置からディスク状記録媒体に記録された映像音声信号を再生することができるディスク装置及びディスク状記録媒体を提供しようとするものである。
【課題を解決するための手段】
【０００４】
上記目的を達成するため本発明においては、ディスク状記録媒体に記録された映像音声信号を再生するディスク装置であって、ディスク状記録媒体に記録された映像音声信号を読み出す第１の読出手段と、ディスク状記録媒体がディスク装置にローディングされたとき、前記ディスク状記録媒体に貼付された書き換え可能なディスク状小径記録媒体に記録された前記ディスク状記録媒体の再生停止時の情報データを読み出す第２の読出手段と、ディスク状記録媒体の再生が指令されたとき、前記第２の読出手段により読み出された再生停止時の情報データに基づいて前記ディスク状記録媒体の再生を停止した位置から前記第１の読出手段により映像音声信号を読み出して再生する再生手段とを備える。
更に、ディスク状記録媒体の再生の停止が指令されたとき、前記ディスク状記録媒体の再生を停止して、再生停止時の情報データを前記ディスク状記録媒体に貼付された書き換え可能なディスク状小径記録媒体に上書き記録する記録手段を備える。
映像音声信号が記録されたディスク状記録媒体の再生停止時の情報を上書き記録できる書き換え可能なディスク状小径記録媒体を映像音声信号が記録されたディスク状記録媒体に貼付するようにするとよい。
前記ディスク状小径記録媒体は、前記ディスク状記録媒体の記録面の反対側の面に前記映像音声信号が記録されたディスク状記録媒体と同心に貼付するようにするとよい。
これらの手段とディスク状記録媒体とにより、再生専用のディスク状記録媒体であっても再生を停止してディスク装置からイジェクトした後に、そのディスク状記録媒体をディスク装置に再ローディングして、再生を停止した位置からディスク状記録媒体に記録された映像音声信号を再生することができる。
【発明の効果】
【０００５】
請求項１記載の発明に係るディスク装置によれば、ディスク状記録媒体がディスク装置にローディングされたとき、ディスク状記録媒体に貼付されたディスク状記録媒体に貼付された書き換え可能なディスク状小径記録媒体に記録されたディスク状記録媒体の再生停止時の情報データを読み出し、ディスク状記録媒体の再生が指令されたとき、ディスク状小径記録媒体から読み出された再生停止時の情報データに基づいてディスク状記録媒体の再生を停止した位置から映像音声信号を読み出して再生し、ディスク状記録媒体の再生の停止が指令されたとき、ディスク状記録媒体の再生を停止して、再生停止時の情報データをディスク状記録媒体に貼付された書き換え可能なディスク状小径記録媒体に上書き記録するようにしているので、ディスク状小径記録媒体に記録された再生停止時の情報データに基づいてディスク状記録媒体の再生を停止して位置からディスク状記録媒体を再生することができ、再生専用のディスク状記録媒体であっても再生を停止した位置の再生停止時の情報をディスク状小径記録媒体に記録しておくことができる。
請求項２記載の発明に係るディスク装置によれば、ディスク状記録媒体がディスク装置にローディングされたとき、ディスク状記録媒体に貼付された書き換え可能なディスク状小径記録媒体に記録されたディスク状記録媒体の再生停止時の情報データを読み出し、ディスク状記録媒体の再生が指令されたとき、ディスク状小径記録媒体から読み出された再生停止時の情報データに基づいてディスク状記録媒体の再生を停止した位置から映像音声信号を読み出して再生するようにしているので、ディスク状小径記録媒体に記録された再生停止時の情報データに基づいてディスク状記録媒体の再生を停止して位置からディスク状記録媒体を再生することができる。
請求項３記載の発明に係るディスク装置によれば、ディスク状記録媒体の再生の停止が指令されたとき、ディスク状記録媒体の再生を停止して、再生停止時の情報データをディスク状記録媒体に貼付された書き換え可能なディスク状小径記録媒体に上書き記録するようにしているので、再生専用のディスク状記録媒体であっても再生を停止した位置の再生停止時の情報をディスク状小径記録媒体に記録しておくことができる。
請求項４記載の発明に係るディスク状記録媒体によれば、映像音声信号が記録されたディスク状記録媒体の再生停止時の情報を上書き記録できる書き換え可能なディスク状小径記録媒体を貼付するようにしているので、再生専用のディスク状記録媒体であっても再生を停止した位置の再生停止時の情報データを映像音声信号が記録されたディスク状記録媒体に貼付されたディスク状小径記録媒体に繰り返して上書き記録することができる。
請求項５記載の発明に係るディスク状記録媒体によれば、ディスク状小径記録媒体をディスク状記録媒体の記録面の反対側の面にディスク状記録媒体と同心に貼付するようにしているので、ディスク状記録媒体の再生時にディスク状記録媒体に貼付された貼付によるアンバランスによる再生に支障をきたすことなく再生を停止した位置の再生停止時の情報データをディスク状小径記録媒体に記録することができる。
【発明を実施するための最良の形態】
【０００６】
以下、適宜図面を参照しながら本発明を実施するための最良の形態を詳述する。図１は本発明の一実施例のディスク装置の構成を示すブロック図であり、図２は本発明の一実施例のディスク装置の記録媒体を示す説明図であり、図３は本発明の一実施例のディスク装置の動作を示すフローチャートである。
まず、図１の本発明の一実施例のディスク装置の構成を示すブロック図を基に説明する。
ディスク装置１は、映像音声信号が記録されたディスク状記録媒体２にレーザ光を照射して、その反射光を検出してディスク状記録媒体２に記録された映像音声信号を読み出す光ピックアップ３と、光ピックアップ３をディスク状記録媒体２の半径方向にスレッド移動させるスレッドモータ４と、ディスク状記録媒体２を回転させるスピンドルモータ５と、ディスク状記録媒体２の記録面の反対側の面にディスク状記録媒体２と同心に貼付されたＣＤ−ＲＷ（ＣＤ−ＲｅＷｒｉｔａｂｌｅ）と同じ構造の相変化式の書き換え可能なディスク状小径記録媒体２ａ（図２参照）にレーザ光を照射してディスク状記録媒体の映像音声信号の再生停止時の情報データを上書き記録し読み出す光ピックアップ６と、光ピックアップ６をディスク状小径記録媒体２ａの半径方向にスレッド移動させるスレッドモータ７と、スピンドルモータ５の回転速度をサーボ制御し、スレッドモータ４、７の回転方向と回転速度とをサーボ制御し、光ピックアップ３、６のトラッキングとフォーカスとをサーボ制御するサーボ回路８と、光ピックアップ３により読み出された映像音声信号のＲＦ（Ｒａｄｉｏ  Ｆｒｅｑｕｅｎｃｙ）信号を増幅するとともに、光ピックアップ６により読み出されたディスク状記録媒体２の再生停止時の情報データのＲＦ信号を増幅し、光ピックアップ６によりディスク状小径記録媒体２ａに上書き記録するディスク状記録媒体２の再生停止時の情報データのＲＦ信号を増幅するＲＦ増幅回路９と、光ピックアップ３により読み出された映像音声信号を基準クロックに基づいて同期検出して復調し、復調された映像音声信号の誤りを訂正して、所定の圧縮方式に基づいて圧縮された映像音声信号を伸張復号して映像音声信号を再生するとともに、光ピックアップ６により読み出された再生停止時の情報データを基準クロックに基づいて同期検出して復調し、復調された再生停止時の情報データの誤りを訂正して再生停止時の情報データを再生し、光ピックアップ６によりディスク状小径記録媒体２ａに上書き記録するディスク状記録媒体２の再生停止時の情報データを符号化する信号処理回路１０と、ディスク装置１のシステム全体を制御するマイコン１１と、ディスク状小径記録媒体２ａが貼付されたディスク状記録媒体２をローディング／イジェクトするディスクトレイ（図示せず）を駆動するトレイモータ１２と、トレイモータ１２を駆動するトレイモータ駆動回路１３と、リモコン装置２０から送信された赤外線信号のリモコン信号を受信して所定の電気信号のリモコン信号に変換するリモコン受信部１４とで構成されている。
以上のように構成されたディスク装置について、以下その動作について説明する。
ディスク状記録媒体２がディスク装置１にローディングされると、マイコン１１は、サーボ回路８に制御信号を送出して、スピンドルモータ５を駆動してディスク状記録媒体２を回転させ、スレッドモータ７を駆動して光ピックアップ６をディスク状記録媒体２と同心に貼付されたディスク状小径記録媒体２ａの半径方向にスレッド移動させ、光ピックアップ６によりディスク状記録媒体２に貼付されたディスク状小径記録媒体２ａに記録されたディスク状記録媒体２の再生を停止したときのタイトル、チャプタ、時間、例えば、タイトル３、チャプタ４、時間５分２２秒の再生停止時の情報データを読み出す。そして、リモコン装置２０のキー操作により再生が指令されると、マイコン１１は、サーボ回路８に制御信号を送出して、スピンドルモータ５を駆動してディスク状記録媒体２を回転させ、ディスク状記録媒体２に貼付されたディスク状小径記録媒体２ａから読み出したディスク状記録媒体２の再生を停止したときのタイトル、チャプタ、時間の再生定時時の情報データに基づいてスレッドモータ４を駆動して、光ピックアップ３をディスク状記録媒体２の半径方向にスレッド移動させ、ディスク状記録媒体２の再生を停止したときの位置から映像音声信号の再生を再開する。これにより、ディスク装置１からイジェクトされたディスク状記録媒体２がディスク装置１に再ローディングされたとき、ディスク状記録媒体２の再生が停止された位置から映像音声信号を再生することができる。
リモコン装置２０のキー操作によりディスク状記録媒体２の再生の停止が指令されると、マイコン１１は、サーボ回路８に制御信号を送出して、スピンドルモータ５を駆動してディスク状記録媒体２を回転させ、スレッドモータ７を駆動し光ピックアップ６をディスク状記録媒体２に貼付されたディスク状小径記録媒体２ａの半径方向に移動させ、信号処理回路１０にディスク状記録媒体２の再生を停止したときのタイトル、チャプタ、時間、例えば、タイトル５、チャプタ７、時間５分３３秒の再生停止時の情報データの信号を送出して、光ピックアップ６によりディスク状記録媒体２に貼付されたディスク状小径記録媒体２ａにディスク状記録媒体２の再生を停止したときのタイトル、チャプタ、時間の再生停止時の情報データを上書き記録する。これにより、ディスク状記録媒体２をディスク装置１からイジェクトしても、ディスク状記録媒体２の再生を停止したときのタイトル、チャプタ、時間の再生停止時の情報データをディスク状小径記録媒体２ａに記録しておくことができるので、ディスク状記録媒体２をディスク装置１に再ローディングして再生したとき、ディスク状記録媒体２の再生を停止した位置から映像音声信号を再生することができる。
そして、リモコン装置２０のキー操作によりディスク状記録媒体２のイジェクトが指令されると、マイコン１１は、トレイモータ駆動回路１３に制御信号を送出して、トレイモータ１２を駆動してディスク状小径記録媒体２ａが貼付されたディスク状記録媒体２をディスク装置１からイジェクトする。
また、図３の本発明の一実施例のディスク装置の動作を示すフローチャートを基に説明する。
ディスク状記録媒体がディスク装置にローディングされると、ステップＳ１からステップＳ２に進み、ステップＳ２で、ディスク状記録媒体と同心に貼付されたディスク状小径記録媒体から再生を停止したときのディスク状記録媒体のタイトル、チャプタ、時間の再生停止時の情報データが読み出されて、ステップＳ３に進む。
ステップＳ３で、リモコン装置のキー操作により再生が指令されたか否かが判断され、リモコン装置のキー操作により再生が指令された場合、ステップＳ４に進み、リモコン装置のキー操作により再生が指令されていない場合、ステップＳ８に進む。
ステップＳ４で、再生停止時の情報データに基づいて再生が停止された位置からディスク状記録媒体に記録された映像音声信号の再生が再開され、ステップＳ５に進む。
ステップＳ５で、ディスク状記録媒体に記録された映像音声信号の再生が続けられ、ステップＳ６に進む。
ステップＳ６で、リモコン装置のキー操作により再生の停止が指令されたか否かが判断され、リモコン装置のキー操作により再生の停止が指令された場合、ステップＳ７に進み、リモコン装置のキー操作により再生の停止が指令されていない場合、ステップＳ５に戻って、ステップＳ５からのステップを繰り返す。
ステップＳ７で、ディスク状記録媒体に貼付されたディスク状小径記録媒体にディスク状記録媒体の再生を停止したときのディスク状記録媒体のタイトル、チャプタ、時間の再生停止時の情報データが上書き記録されて、ステップＳ８に進む。
ステップＳ８で、リモコン装置のキー操作によりディスク状記録媒体のイジェクトが指令されたか否かが判断され、ディスク状記録媒体のイジェクトが指令された場合、ステップＳ９に進み、ディスク状記録媒体のイジェクトが指令されていない場合、ステップＳ３に戻って、ステップＳ３からのステップを繰り返す。
ステップＳ９で、ディスク状小径記録媒体が貼付されたディスク状記録媒体がディスク装置からイジェクトされて、ステップＳ１０に進んで処理を終了する。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例のディスク装置の構成を示すブロック図である。
【図２】本発明の一実施例のディスク装置の記録媒体を示す説明図である。
【図３】本発明の一実施例のディスク装置の動作を示すフローチャートである。
【符号の説明】
【０００８】
１  ディスク装置
２  ディスク状記録媒体
２ａ  ディスク状小径記録媒体
３、６  光ピックアップ
５  スピンドルモータ
４、７  スレッドモータ
８  サーボ回路
９  ＲＦ増幅回路
１０  信号処理回路
１１  マイコン
１２  トレイモータ
１３  トレイモータ駆動回路
１４  リモコン受信部
２０  リモコン装置
【図１】
2006216129.tif 000003
【図２】
2006216129.tif 000004
【図３】
2006216129.tif 000005